(57)【特許請求の範囲】
【請求項１】
温水を溜めておく貯湯タンクと、被洗髪者の頭部を挿入可能な水槽と、上記水槽の前縁部において、被洗髪者の襟首部分を支持する首受け部が形成された首受け部材とを備えた洗髪機において、
上記首受け部材に接するように設けられた、上記貯湯タンクからの温水を通す首受け部保温用水路を備えたことを特徴とする洗髪機。
【請求項２】
温水を溜めておく貯湯タンクと、被洗髪者の頭部を挿入可能な水槽と、上記水槽の前縁部において、被洗髪者の襟首部分を支持する首受け部が形成された首受け部材とを備えた洗髪機において、
上記首受け部材は中空の部材から成り、
上記首受け部材内部に上記貯湯タンクからの温水を供給する首受け部湯水供給路と、
上記首受け部材内部の温水を排水する首受け部湯水排水路とを備えたことを特徴とする洗髪機。
【請求項３】
請求項２記載の洗髪機において、
上記首受け部材は中空の弾力性を有した弾性材から成り、
上記首受け部湯水供給路の途中に設けられた、開閉動作により上記首受け部材内部への温水の供給及び供給停止を行う電磁弁と、
上記首受け部湯水排水路の途中に設けられた、開閉動作により上記首受け部材内部の温水の排水及び排水停止を行う電磁弁と、
上記首受け部材の水圧を計測する水圧センサーと、
上記水圧センサーにより計測した上記首受け部材の水圧に基づき、上記首受け部材の水圧が所定圧となるように上記首受け部湯水供給路及び上記首受け部湯水排水路の電磁弁の開閉動作を制御する電磁弁制御部とを備えたことを特徴とする洗髪機。
【発明の詳細な説明】
【０００１】
【発明の属する技術分野】
本発明は、美容院，理髪店等に設置される洗髪装置に関するものであり、特に被洗髪者の頭部を挿入可能な水槽の前縁部において、被洗髪者の襟首部を支持する首受け部に関するものである。
【０００２】
【従来の技術】
図６は従来の洗髪機の構成の概略を示す正面図である。
図において、１はキャビネット、２はキャビネット１において、開口部２ａを有する水槽であり、被洗髪者９は仰向けになって、該水槽２の開口部２ａに頭部を挿入して洗髪を受ける。該水槽２の前縁部２ｂには首受け部材１０３が配設されており、該首受け部材１０３の首受け部１０３ａにより被洗髪者９の襟首部は支持される。ここで、該首受け部材１０３は、例えば、ゴム等の弾性材から成る。
【０００３】
また、４は洗髪の際、被洗髪者９の顔面に温水が飛散するのを防止するために水槽２の開口部２ａを覆うように開閉自在に設けられたフェイスカバー、５は水槽２についた毛髪やシャンプー液，リンス液を洗い落としたり、洗髪の仕上げ時等に用いる，引き出し可能なハンドシャワー、６はシャンプー液を収納するシャンプータンク、７はリンス液を収納するリンスタンクである。
【０００４】
図７は従来の洗髪機の構成の概略を示す縦断面図である。
図において、図６と同一符号は同一又は相当部分である。また、８は水槽２の底部に設けられた排水口、９は被洗髪者である。
【０００５】
水槽２の内壁面には、温水を噴射するシャワーヘッドＳ１〜Ｓ１１，シャンプー液又はリンス液が混合された温水を噴射するノズルヘッドＮ１〜Ｎ６が配設される。洗髪機による洗髪工程は、初期排水工程，予洗工程，シャンプー工程，濯ぎ工程，リンス工程，濯ぎ工程を経て終了するが、上記シャワーヘッドＳ１〜Ｓ１１，ノズルヘッドＮ１〜Ｎ６は制御装置（図示せず) の制御を受けて、各工程に応じてそれぞれ所定期間自動的に温水，シャンプー液又はリンス液が混合された温水を噴射するように構成されている。
【０００６】
図８は従来の洗髪機のキャビネット内における配管構造を示す図である。
図において、図６，図７と同一符号は同一又は相当部分である。また、１１は止水栓，ストレーナー，逆止弁（図示せず）を介して、外部の給水源，給湯源から送られたきた水と湯を混合し、洗髪に適温の温水を作る混合ミキシング、１２はモータバルブ、１３は混合ミキシング１１からモータバルブ１２を介して供給された温水を溜めておく貯湯タンク、１４は貯湯タンク３の下方位置に備えられており、貯湯タンク１３内の温水の温度を計測するサーミスタ、１５は貯湯タンク１３内の温水の量を検出するフロートスイッチ、１６は貯湯タンク１３の温水を汲み出す湯水供給用ポンプ、１７はハンドシャワー用バルブ、Ａは一端は湯水供給用ポンプ１６に接続され、その他端は分岐しており、その先端部にはシャワーヘッドＳ１〜Ｓ１１，及びノズルヘッドＮ１〜Ｎ６が接続される湯水供給路、１８は湯水供給路Ａの途中に設けられ、不要な温水を排水するための排水用電磁弁、１９a 〜１９k は開閉動作により温水をシャワーヘッドＳ１〜Ｓ１１，及びノズルヘッドＮ１〜Ｎ６に供給可能とする湯水供給用電磁弁、２０はシャンプータンク６のシャンプー液を汲み出すシャンプー供給用ポンプ、２１はリンスタンク７のリンス液を汲み出すリンス供給用ポンプ、２２，２３は逆止弁である。Ｂ１は一端はシャンプータンク６に接続され、他端はシャンプー供給用ポンプ２０，逆止弁２２を介し湯水供給路Ａに接続されるシャンプー液供給路、Ｂ２は一端はリンスタンク７に接続され、他端はリンス供給用ポンプ２１，逆止弁２３を介し湯水供給路Ａに接続されるシャンプー液供給路である。
【０００７】
以下、図６乃至図８を参照して、このように構成された洗髪機の動作について説明する。
まず、洗髪機を始動させると、外部の給水源や給湯源から止水栓，ストレーナー，逆止弁を介して、湯と水が混合ミキシング１１に与えられる。湯と水は混合ミキシング１１で混合され洗髪に適した温度の温水とされ、モータバルブ１２を介して、貯湯タンク１３に供給される。
【０００８】
貯湯タンク１３に所定量の温水が溜まった時点で、スタンバイモードに移り、被洗髪者９が仰向け姿勢で襟首部分を首受け部３ａに載せた状態で、頭部を水槽２の開口部２ａに挿入した後、フェイスカバー４を閉鎖する。
【０００９】
次いで、湯水供給用電磁弁１９ａ〜１９ｋが開かれると共に、貯湯タンク１３に溜められた温水は湯水供給用ポンプ１６により吸い込まれ、湯水供給路Ａに供給されることにより、最初の所定期間は湯水供給路Ａに溜まっている冷水が上記シャワーヘッドＳ１〜Ｓ１１，及びノズルヘッドＮ１〜Ｎ６から排出される。
【００１０】
次いで、湯水供給路Ａに溜まっている冷水がすべて排出された時点で、湯水供給用電磁弁１９ｋが閉鎖されてノズルヘッドＮ１〜Ｎ６への温水の供給が停止され、所定期間シャワーヘッドＳ１〜Ｓ１１から噴射される温水により頭髪の洗浄が行われる。
【００１１】
次いで、シャンプー工程に移り、湯水供給用電磁弁１９ｋが開かれると同時に、シャンプータンク６内のシャンプー液がシャンプー液供給路Ｂ１を通じてシャンプー供給用ポンプ２０により吸入され、逆止弁２２を介し湯水供給路Ａに供給される。該シャンプー液が湯水供給路Ａの温水と混合することにより、シャンプー液混合水が作られ、該シャンプー液混合水はノズルヘッドＮ１〜Ｎ６から噴射され、シャワーヘッドＳ１〜Ｓ１１から噴射される温水と共に頭髪のシャンプー洗浄が行われる。
【００１２】
次いで、シャンプー工程が終了すると、湯水供給用電磁弁１９ｋが閉鎖され、ノズルヘッドＮ１〜Ｎ６からのシャンプー液混入水の噴射が停止し、シャワーヘッドＳ１〜Ｓ１１から噴射される温水により頭髪の濯ぎが行われ、頭髪に付いているシャンプー液が除去される。
【００１３】
次いで、リンス工程に移り、湯水供給用電磁弁１９ｋが開かれると同時に、リンスタンク７内のリンス液がリンス液供給路Ｂ２を通じてリンス供給用ポンプ２１により吸入され、逆止弁２３を介し湯水供給路Ａに供給される。該リンス液が湯水供給路Ａの温水と混合することにより、リンス液混合水が作られ、該リンス液混合水はノズルヘッドＮ１〜Ｎ６から噴射され、シャワーヘッドＳ１〜Ｓ１１から噴射される温水と共に頭髪のリンス洗浄が行われる。
【００１４】
次いで、濯ぎ工程に移り、電磁弁１０ｋが閉鎖され、ノズルヘッドＮ１〜Ｎ６からのリンス液混入水の噴射が停止し、シャワーヘッドＳ１〜Ｓ１１から噴射される温水により頭髪の濯ぎが行われ、全洗髪工程が終了する。
【００１５】
【発明が解決しようとする課題】
しかしながら、上記従来の洗髪機で洗髪を行う場合、特に早朝や冬場の洗髪では、水槽の前縁部に設けられた首受け部が冷却しており、被洗髪者は首筋に首受け部の冷たさを感じ、不快感を感じるという問題点があった。
【００１６】
本発明はこのような問題点を解決するためになされたもので、被洗髪者の襟首部を温かく保つことが可能な洗髪機を提供することを目的としている。
【００１７】
【課題を解決するための手段】
本発明は上記目的を達成するために、本発明の請求項１に係る洗髪機は、温水を溜めておく貯湯タンクと、被洗髪者の頭部を挿入可能な水槽と、上記水槽の前縁部において、被洗髪者の襟首部分を支持する首受け部が形成された首受け部材とを備えた洗髪機において、上記首受け部材に接するように設けられた、上記貯湯タンクからの温水を通す首受け部保温用水路を備えたことを特徴とするものである。
【００１８】
本発明の請求項２に係る洗髪機は、温水を溜めておく貯湯タンクと、被洗髪者の頭部を挿入可能な水槽と、上記水槽の前縁部において、被洗髪者の襟首部分を支持する首受け部が形成された首受け部材とを備えた洗髪機において、上記首受け部材は中空の部材から成り、上記首受け部材内部に上記貯湯タンクからの温水を供給する首受け部湯水供給路と、上記首受け部材内部の温水を排水する首受け部湯水排水路とを備えたことを特徴とするものである。
【００１９】
本発明の請求項３に係る洗髪機は、上記請求項２記載の洗髪機において、上記首受け部材は中空の弾力性を有した弾性材から成り、上記首受け部湯水供給路の途中に設けられた、開閉動作により上記首受け部材内部への温水の供給及び供給停止を行う電磁弁と、上記首受け部湯水排水路の途中に設けられた、開閉動作により上記首受け部材内部の温水の排水及び排水停止を行う電磁弁と、上記首受け部材の水圧を計測する水圧センサーと、上記水圧センサーにより計測した上記首受け部材の水圧に基づき、上記首受け部材の水圧が所定圧となるように上記首受け部湯水供給路及び上記首受け部湯水排水路の電磁弁の開閉動作を制御する電磁弁制御部とを備えたことを特徴とするものである。
【００２０】
【発明の実施の形態】
実施の形態１．
図１は本発明の実施の形態１による洗髪機の構成の概略を示す正面図である。
図２は本発明の実施の形態１による洗髪機の水槽の前縁部における首受け部の構成を示す縦断面図である。図３は本発明の実施の形態１による洗髪機のキャビネット内における配管構造を示す図である。図において、図６乃至図８と同一符号は同一又は相当部分である。また、Ａ１は湯水供給路Ａの途中に設けられた首受け部保温用水路であり、該首受け部保温用水路Ａ１は水槽２の前縁部における首受け部材３の下面に接するように設けられる。ここで、首受け部材３は弾力性を有する，ゴム等の弾性材から成る。
【００２１】
以下、図１乃至図３を参照して、本発明の実施の形態１による洗髪機の動作について説明する。
まず、洗髪機を始動させると、外部の給水源や給湯源から止水栓，ストレーナー，逆止弁を介して、湯と水が混合ミキシング１１に与えられる。湯と水は混合ミキシング１１で混合され洗髪に適した温度の温水とされ、モータバルブ１２を介して、貯湯タンク１３に供給される。
【００２２】
貯湯タンク１３に所定量の温水が溜まった時点で、スタンバイモードに移り、被洗髪者９が仰向け姿勢で襟首部分を首受け部３ａに載せた状態で、頭部を水槽２の開口部２ａに挿入した後、フェイスカバー４を閉鎖する。
【００２３】
次いで、従来の洗髪機による洗髪工程と同様に、貯湯タンク１３に溜められた温水は湯水供給用ポンプ１６により汲み出され、湯水供給路Ａに供給され、首受け部材３下面に接する首受け部保温用水路Ａ１を通り、湯水供給用電磁弁１９ａ〜１９ｋを介しシャワーヘッドＳ１〜Ｓ１１及びノズルヘッドＮ１〜Ｎ６に供給され、該シャワーヘッドＳ１〜Ｓ１１から噴射される温水，及びノズルヘッドＮ１〜Ｎ６から噴射されるシャンプー液混合水又はリンス液混合水により，初期排水から予洗，シャンプー洗浄，濯ぎ，リンス洗浄，濯ぎまでが行われる。
【００２４】
上記洗髪工程において、被洗髪者９の襟首部は首受け部材３を介し首受け部保温用水路Ａ１を通る温水により温かく保たれる。
【００２５】
このように本実施の形態１による洗髪機によれば、貯湯タンク１３の温水をシャワーヘッドＳ１〜Ｓ１１及びノズルヘッドＮ１〜Ｎ６に通す湯水供給路Ａの途中に首受け部保温用水路Ａ１を設け、該首受け部保温用水路Ａ１を弾力性を有する，ゴム等の弾性材から成る首受け部材３の下面に接するように配管したので、湯水供給路Ａに貯湯タンク１３内の温水を供給することにより、温水を首受け部材３下面に接する首受け部保温用水路Ａ１に通すことができ、洗髪中被洗髪者９の襟首部を首受け部材３を介し首受け部保温用水路Ａ１を通る温水により温かく保つことができる効果がある。
【００２６】
実施の形態２．
図４は本発明の実施の形態２による洗髪機の水槽の前縁部における首受け部の構成を示す縦断面図である。図５は本発明の実施の形態２による洗髪機のキャビネット内における配管構造を示す図である。図において、図１乃至図３と同一符号は同一または相当部分である。
【００２７】
また、首受け部材３は、弾力性を有した，例えば，ゴム等の弾性材から成り、その内部には中空部３ｂを有し、また、該首受け部材３の両端には湯水流入口３ｃ及び湯水流出口３ｄが設けられている。上記首受け部材３の上記湯水流入口３ｃ及び湯水流出口３ｄは、それぞれ湯水供給路Ａから分岐して設けられた首受け部湯水供給路Ａ２及び首受け部湯水排水路Ａ３に接続され、上記首受け部湯水供給路Ａ２及び首受け部湯水排水路Ａ３の途中には、それぞれ電磁弁３０ａ，３０ｂが設けられている。上記電磁弁３０ａは開閉動作により首受け部材３の中空部３ｂに温水の供給を行う。上記電磁弁３０ｂは開閉動作により首受け部材３の中空部３ｂの温水の排水を行う。３１は首受け部材３の中空部３ｂの水圧を計測する水圧センサー、３２は上記電磁弁３０ａ，３０ｂの開閉動作を制御する電磁弁制御部である。
【００２８】
以下、図４，図５を参照して、本実施の形態２による洗髪機の動作について説明する。
まず、洗髪機を始動させると、外部の給水源や給湯源から止水栓，ストレーナー，逆止弁を介して、湯と水が混合ミキシング１１に与えられる。湯と水は混合ミキシング１１で混合され洗髪に適した温度の温水とされ、モータバルブ１２を介して、貯湯タンク１３に供給される。
【００２９】
貯湯タンク１３に所定量の温水が溜まった時点で、スタンバイモードに移り、被洗髪者９が仰向け姿勢で襟首部分を首受け部３ａに載せた状態で、頭部を水槽２の開口部２ａに挿入した後、フェイスカバー４を閉鎖する。
【００３０】
次いで、従来の洗髪機による洗髪工程と同様に、貯湯タンク１３に溜められた温水は湯水供給用ポンプ１６により汲み出され、湯水供給路Ａを通って湯水供給用電磁弁１９ａ〜１９ｋを介し湯水シャワーヘッドＳ１〜Ｓ１１及びノズルヘッドＮ１〜Ｎ６に供給され、該シャワーヘッドＳ１〜Ｓ１１から噴射される温水，及びノズルヘッドＮ１〜Ｎ６から噴射されるシャンプー液混合水又はリンス液混合水により，初期排水から予洗，シャンプー洗浄，濯ぎ，リンス洗浄，濯ぎまでが行われる。
【００３１】
上記洗髪工程において、電磁弁制御部３２により首受け部湯水供給路Ａ２の電磁弁３０ａ及び首受け部湯水排水路Ａ３の電磁弁３０ｂを開状態にすることにより、湯水供給路Ａに流れる温水は首受け部湯水供給路Ａ２に分流され、電磁弁３０ａを介して首受け部材３の中空部３ｂに導かれ、さらに、首受け部材３の中空部３ｂにある温水は首受け部湯水排水路Ａ３を通じて湯水供給路Ａに導かれることとなり、首受け部材３の中空部３ｂに貯湯タンク１３からの温水を通水させることが可能となり、洗髪中、被洗髪者９の襟首部を首受け部材３の中空部３ｂの温水により温かく保つことが可能となる。
【００３２】
首受け部材３の中空部３ｂに温水が通水している状態で、電磁弁制御部３２により首受け部湯水排水路Ａ３の電磁弁３０ｂを閉鎖することにより首受け部材３の中空部３ｂの温水の排水が行われなくなり、首受け部材３への温水の供給のみが行われる。その後、水圧センサー３１により首受け部材３の水圧が設定された圧力になったことを検知した時点で、電磁弁制御部３２により首受け部湯水供給路Ａ２の電磁弁３０ａ閉鎖する。これにより、弾力性を有した，例えば，ゴム等の弾性材から成る首受け部材３を被洗髪者９の首部に対し適度な圧力に保つことが可能となる。
このように本実施の形態２による洗髪機によれば、弾力性を有した，例えば，ゴム等の弾性材で形成された中空の首受け部材３に湯水流入口３ｃ及び湯水流出口ｄを設け、上記湯水流入口３ｃ及び湯水流出口３ｄのそれぞれに湯水供給路Ａから分岐した首受け部湯水供給路Ａ２及び首受け部湯水排水路Ａ３を接続することにより、首受け部材３の中空部３ｂに貯湯タンク１３からの温水を通水させることができ、また、電磁弁制御部３２により首受け部湯水供給路Ａ２の電磁弁３０ａ及び首受け部湯水排水路Ａ３の電磁弁３０ｂの開閉動作を制御して、首受け部材３の中空部３ｂに対する温水の供給及び排水を制御することにより、首受け部材３の中空部３ｂの水圧を所定圧にすることができ、洗髪中、首受け部材３により被洗髪者９の襟首部を適度なクッションで弾力的に支持しつつ温かく保つことができる効果がある。
【００３３】
【発明の効果】
以上のように、本発明（請求項１) に係る洗髪機によれば、温水を溜めておく貯湯タンクと、被洗髪者の頭部を挿入可能な水槽と、上記水槽の前縁部において、被洗髪者の襟首部分を支持する首受け部が形成された首受け部材とを備えた洗髪機において、上記首受け部材に接するように設けられた、上記貯湯タンクからの温水を通す首受け部保温用水路を備えた構成を特徴とするものであるので、洗髪中、被洗髪者の襟首部を首受け部材を介し首受け部保温用水路を通る温水により温かく保つことができる効果がある。
【００３４】
本発明（請求項２）に係る洗髪機によれば、温水を溜めておく貯湯タンクと、被洗髪者の頭部を挿入可能な水槽と、上記水槽の前縁部において、被洗髪者の襟首部分を支持する首受け部が形成された首受け部材とを備えた洗髪機において、上記首受け部材は中空の部材から成り、上記首受け部材内部に上記貯湯タンクからの温水を供給する首受け部湯水供給路と、上記首受け部材内部の温水を排水する首受け部湯水排水路とを備えた構成を特徴とするものであるので、洗髪中、上記首受け部材内部に貯湯タンクからの温水を通水させることができ、首受け部材により被洗髪者の襟首部を温かく保つことができる効果がある。
【００３５】
本発明（請求項３）に係る洗髪機によれば、上記請求項２記載の洗髪機において、上記首受け部材は中空の弾力性を有した弾性材から成り、上記首受け部湯水供給路の途中に設けられた、開閉動作により上記首受け部材内部への温水の供給及び供給停止を行う電磁弁と、上記首受け部湯水排水路の途中に設けられた、開閉動作により上記首受け部材内部の温水の排水及び排水停止を行う電磁弁と、上記首受け部材の水圧を計測する水圧センサーと、上記水圧センサーにより計測した上記首受け部材の水圧に基づき、上記首受け部材の水圧が所定圧となるように上記首受け部湯水供給路及び上記首受け部湯水排水路の電磁弁の開閉動作を制御する電磁弁制御部とを備えた構成を特徴とするものであるので、洗髪中、上記首受け部材内部に貯湯タンクからの温水を通水させることができ、また、電磁弁制御部により首受け部湯水供給路の電磁弁及び首受け部湯水排水路の電磁弁の開閉動作を制御して、首受け部材の中空部に対する温水の供給及び排水を制御することにより、首受け部材内の水圧を所定圧にすることができ、上記首受け部材により被洗髪者の襟首部を適度なクッションで弾力的に支持しつつ温かく保つことができる効果がある。
【図面の簡単な説明】
【図１】本発明の実施の形態１による洗髪機の構成の概略を示す正面図である。
【図２】同実施例１による洗髪機の水槽の前縁部における首受け部の構成を示す縦断面図である。
【図３】同実施例１による洗髪機のキャビネット内における配管構造を示す図である。
【図４】本発明の実施の形態２による洗髪機の水槽の前縁部における首受け部の構成を示す縦断面図である。
【図５】同実施例２による洗髪機のキャビネット内における配管構造を示す図である。
【図６】従来の洗髪機の構成の概略を示す正面図である。
【図７】従来の洗髪機の構成の概略を示す縦断面図である。
【図８】従来の洗髪機のキャビネット内における配管構造を示す図である。
【符号の説明】
１キャビネット
２水槽
２ａ開口部
２ｂ前縁部
３首受け部材
３ａ首受け部
３ｂ中空部
３ｃ湯水流入口
３ｄ湯水流出口
４フェイスカバー
５ハンドシャワー
６シャンプータンク
７リンスタンク
８排水口
９被洗髪者
１１混合ミキシング
１２モータバルブ
１３貯湯タンク
１４サーミスタ
１５フロートスイッチ
１６湯水供給用ポンプ
１７ハンドシャワー用バルブ
１８排水用電磁弁
１９a 〜１９k 湯水供給用電磁弁
２０シャンプー供給用ポンプ
２１リンス供給用ポンプ
２２，２３逆止弁
３０ａ，３０ｂ電磁弁
３１水圧センサー
３２電磁弁制御部
Ｓ１〜Ｓ１１シャワーヘッド
Ｎ１〜Ｎ６ノズルヘッド
Ａ湯水供給路
Ａ１首受け部保温用水路
Ａ２首受け部湯水供給路
Ａ３首受け部湯水排水路
Ｂ１シャンプー液供給路
Ｂ２リンス液供給路
【図１】
0004011784.tif 000002
【図２】
0004011784.tif 000003
【図３】
0004011784.tif 000004
【図４】
0004011784.tif 000005
【図５】
0004011784.tif 000006
【図６】
0004011784.tif 000007
【図７】
0004011784.tif 000008
【図８】
0004011784.tif 000009